(57)【要約】【課題】小規模の土木工事等にあって、狭い工事現場や砂質土の地盤にあっても発生した湧水などを簡単で確実に排水することができる排水装置および排水方法を提供する。【解決手段】内部を空洞状に形成した本体１の一側部に、吸水駆動手段７と取付管８を介して接続させた接続口２を設け、本体１の他側部に吸水孔３を設けて、本体において吸水孔の外側部を覆うように網目状の異物除去部材４を設けると共に、本体における吸水孔側に該吸水孔より突出して地中へ突き刺さる支持体５を設ける。【選択図】    図１
2004162453.tif 000002
【特許請求の範囲】
【請求項１】
内部を空洞状に形成した本体と、この本体の一側部に設けて吸水駆動手段と取付管を介して接続させた接続口と、前記本体の他側部に設けた吸水孔と、前記本体において前記吸水孔の外側部を覆うように設けた網目状の異物除去部材とを有し、
前記本体における吸水孔側に設けて該吸水孔より突出して地中へ突き刺さる支持体とを備えさせたことを特徴とする排水装置。
【請求項２】
内部を空洞状に形成してこの空洞部に通水路を有する筒状の本体と、この本体の一側部に設けて吸水駆動手段と取付管を介して接続させた接続口と、前記本体の他側部において該本体の外周部に設けて前記通水路と相通する吸水孔と、前記本体において前記吸水孔の外側部を覆うように設けた網目状の異物除去部材と、前記本体の他側端部に設けて前記通水路の下端部を開閉させる弁体とを備えさせたことを特徴とする排水装置。
【請求項３】
内部を空洞状に形成してこの空洞部に通水路を有する筒状の本体と、この本体の一側部に設けて吸水駆動手段と取付管を介して接続させた接続口と、前記本体の他側部において該本体の外周部に設けて前記通水路と相通する吸水孔と、前記本体において前記吸水孔の外側部を覆うように設けた網目状の異物除去部材と、前記本体の他側端部に設けて前記通水路の下端部の開口部を開閉させる弁体とを備えさせた排水装置にあって、
前記本体の地中への埋入にあっては、この本体内の通水路内へ圧力水を供給して、該通水路における下端部の開口部を前記弁体により開放させ、前記吸水孔および前記通水路の下端部の開口部から前記圧力水を噴射しながら、前記地中の埋入部を押し分けて前記本体を挿入し、
前記地中の水を排出する際は、前記本体の通水路に吸水力を与え、該通水路における下端部の開口部を前記弁体により閉塞させ、前記本体の吸水孔から前記地中の水を吸引させることを特徴とする排水方法。
【発明の詳細な説明】
【０００１】
【産業上の利用分野】
本発明は、小規模の土木工事等にあって、狭い工事現場や砂質土の地盤にあっても、発生した湧水などを簡単で確実に排水することができる排水装置および排水方法に関する。
【０００２】
【従来の技術】
従来、小規模の土木工事等における湧水対策としては、湧水により水たまりとなったその地面へ水中ポンプを設置させて行う、いわゆる、どぶ漬けの水中ポンプ利用が一般的であった。
【０００３】
そのため、この水中ポンプによる排水（揚水）作業は、地面上の水たまり部の水のみを吸引することができて、前記地面より下部（地中）の水は直接汲み上げることができない。また、地盤が砂質土の場合には、前記水中ポンプが水と共に砂を吸い上げて、この地盤が崩壊したり、付近の地盤の沈下のおそれがあると共に、吸い上げられた砂が、水中ポンプの揚水排出（放出）先の側溝・水路に溜まる不都合を生ずる。更には、湧水量が少ない場合には、吐き出し管やホースなどに吸い上げられた砂が堆積して、吐出（揚水）不能となる。植積土（植物の腐敗した土）混じりの場合は、ポンプのストレーナーの目詰まりを起こし、揚水量の減少や揚水不能を来す。
【０００４】
水中ポンプの外径が比較的大きく重たいため、土木工事現場などの狭い場所では、この水中ポンプおよび吐き出しホースが邪魔になる。特に、水中ポンプの駆動は電源によるため、ケーブル等の破損などにより作業者が感電する危険性があった。
【０００５】
【発明が解決しようとする課題】
本発明は、前記した問題点を解決するためになされたもので、内部を空洞状に形成した本体の一側部に、吸水駆動手段と取付管を介して接続させた接続口を設け、本体の他側部に吸水孔を設けて、本体において吸水孔の外側部を覆うように網目状の異物除去部材を設けると共に、本体における吸水孔側に該吸水孔より突出して地中へ突き刺さる支持体を設けることにより、小規模の土木工事等にあって、狭い工事現場や砂質土の地盤にあっても簡単で確実に排水することができる排水装置および排水方法を提供することを目的としている。
【０００６】
【課題を解決するための手段】
前記した目的を達成するための本発明の手段は、
内部を空洞状に形成した本体と、この本体の一側部に設けて吸水駆動手段と取付管を介して接続させた接続口と、前記本体の他側部に設けた吸水孔と、前記本体において前記吸水孔の外側部を覆うように設けた網目状の異物除去部材とを有し、
前記本体における吸水孔側に設けて該吸水孔より突出して地中へ突き刺さる支持体とを備えさせた排水装置の構成にある。
【０００７】
また、
内部を空洞状に形成してこの空洞部に通水路を有する筒状の本体と、この本体の一側部に設けて吸水駆動手段と取付管を介して接続させた接続口と、前記本体の他側部において該本体の外周部に設けて前記通水路と相通する吸水孔と、前記本体において前記吸水孔の外側部を覆うように設けた網目状の異物除去部材と、前記本体の他側端部に設けて前記通水路の下端部を開閉させる弁体とを備えさせた排水装置の構成にある。
【０００８】
そして、
内部を空洞状に形成してこの空洞部に通水路を有する筒状の本体と、この本体の一側部に設けて吸水駆動手段と取付管を介して接続させた接続口と、前記本体の他側部において該本体の外周部に設けて前記通水路と相通する吸水孔と、前記本体において前記吸水孔の外側部を覆うように設けた網目状の異物除去部材と、前記本体の他側端部に設けて前記通水路の下端部の開口部を開閉させる弁体とを備えさせた排水装置にあって、
前記本体の地中への埋入にあっては、この本体内の通水路内へ圧力水を供給して、該通水路における下端部の開口部を前記弁体により開放させ、前記吸水孔および前記通水路の下端部の開口部から前記圧力水を噴射しながら、前記地中の埋入部を押し分けて前記本体を挿入し、
前記地中の水を排出する際は、前記本体の通水路に吸水力を与え、該通水路における下端部の開口部を前記弁体により閉塞させ、前記本体の吸水孔から前記地中の水を吸引させる排水方法にある。
【０００９】
【実施例】
次に、本発明に関する排水装置および排水方法の一実施例を図面に基づいて説明する。
図１および図３〜図４においてＡは、第一の実施例を示す排水装置で、本体１と、接続口２と、吸水孔３と、異物除去部材４と、支持体５とにより基本的に構成される。
【００１０】
そして、前記した本体１は、内部を空洞状に、いわゆる、後記する接続口２から後記する吸水孔３までの間に、通水路６が形成されるように設けられているもので、下側が徐々に広がる漏斗状に形成してあって、この本体１の全体あるいは略全体は排水箇所における地面ｃより下方に、すなわち、地中に埋入される。
【００１１】
前記した接続口２は、本体１の一側部（本実施例にあっては上部側）に設けて吸水駆動手段７と取付管８を介して接続させてあるもので、この接続口２において取付管８とねじ結合してある。
なお、前記した吸水駆動手段７は、例えば、バキュームポンプなどが用いられるもので、このバキュームポンプには、取付管８と接続させる配管９の連結管（図示せず）が多数配設されていて、排水すべき箇所に対して多数の本実施例に係る排水装置Ａを用いて、多数排水箇所を同時に行うことができる。
【００１２】
前記した吸水孔３は、本体１の他側部に設けてあって、すなわち、漏斗状に形成された本体１の最大径部となる位置に設けてあるもので、吸水駆動手段７による吸引力がこの吸水孔３に掛かる。
【００１３】
前記した異物除去部材４は、本体１において吸水孔３の外側部を覆うように設けてあって、すなわち、通水は可能であるが、砂や砂利などの異物の通過は阻止するように構成されているものであり、これにより、吸水孔３内へ砂や砂利などの異物が入らないもので、比較的目の細かい網目状に形成してある。
この異物除去部材４は、目詰まりや損傷等を生じた際に、本体１から外して洗浄や交換などができるように設けられているもので、この異物除去部材４の固着に際しては、慣用の締め付けバンド等の固着手段１０により行われる。
【００１４】
前記した支持体５は、本体１における吸水孔３側に設けて、該吸水孔３より外方へ突出させてあり、本体１を地中へ挿入したとき該地中へ突き刺さることで、装置Ａ全体の挿入されたその姿勢が安定し、本体１および取付管８等の転倒が防止される。また、この支持体５の外端部には地中への突き刺しを容易に行えるように、尖鋭部１１を設けてある。
【００１５】
支持体５の取付構造は、板状に形成させた保持部材１２の一側面側にめねじ体１３を取り付けて、本体１の最大径部側（吸水孔３側）の内壁へ溶着等により固着する。
また、支持体５の内端部側にはおねじ１４を螺設してあって、めねじ体１３へ螺合することでこの支持体５が固定される。なお、この支持体５のおねじ１４へあらかじめナット１５を螺着させておき、内端部のおねじ１４をめねじ体１３へ螺合して、異物除去部材４の裏表両面に対応する押さえ部材１６．１７を介してナット１５を緊締することで、この異物除去部材４の位置決めがなされると共にこの支持体５の保持力が一層良好となる。
【００１６】
したがって、前記したように本発明に係る第一の実施例の排水装置Ａは、以下に述べる作用を奏する。
まず、工事現場において湧水等により工事に使用を来すときは、取付管８の下部に、排水装置Ａにおける本体１の接続口２を取り付ける。また、取付管８の上部には吸水駆動手段７に接続した配管９へ連結して、該吸水駆動手段７の吸引力がこれら配管９，取付管８を介して本体１の接続口２に掛かるようにする。
【００１７】
そして、この排水装置Ａを、支持体５を下方へ向けて前記湧水箇所の地中へ押し込むと、本体１の下部に設けた支持体５が地中に突き刺さって、本体１が地面ｃの所定深さまで潜り込む。排水装置Ａおよび取付管８等は、この支持体５の地中への突き刺さりにより、図３に示すように、転倒することなく安定的にその姿勢を保持される。
この本体１の潜り込んだ深さにおいては、湧水が発生して地面ｃ上へ湧き出て水たまりを形成する。
【００１８】
この状態で、吸水駆動手段７を作動させると、該吸水駆動手段７の吸引力は配管９，取付管８を介して本体１の接続口２に掛かり、更に、本体１内の通水路６にこの吸引力が掛かる。そのため、本体１の吸水孔３において地中に対して掛かる吸引力が排水力となり、この吸引孔３近傍の水を本体１内へ吸い込む。
これにより、地中の水は次から次へと吸水駆動手段７側へ排出され、地面ｃ上の水たまりも次第に干されて、該地面ｃが露出した状態となる。そのため、土木工事等の現場にあっては、予定した土木作業を湧水によって邪魔されることなく円滑に行うことができる。
また、地中の湧水も地上へ湧き出る前に吸水されて、土木作業の支承とならない。
【００１９】
更に、本体１の吸水孔３の外側部には、異物除去部材４が設けられているため、例え、砂地の地盤であっても、吸引された水と一緒にこの砂などが吸水孔３内へ入り込もうとしても、該異物除去部材４によってその侵入が妨げられ、この工事地盤やその近傍の地盤を崩壊させたり、異物除去部材４から放出された排出物に砂などが混在して、側溝や河川などに砂の堆積などによる悪影響を与えない。
【００２０】
特に、地中や水中に埋没している部材は、排水装置Ａあるいは取付管８の一部であって、排水のための駆動部は全く存在してないので、水の干渉や接触などがあっても、感電等の問題の発生がなく安全で安心して使用することができる。
【００２１】
なお、図４においては、本発明に係る第一実施例の排水装置Ａを、透水性の低い土質において排水に使用する例を示すもので、地盤に生じた水たまり部に、当該排水装置Ａを入れ、その支持体５を地中へ突き刺せば、前記同様に排水作業を行うことができる。
【００２２】
図５および図７〜図９においてＡは第二の実施例を示す排水装置で、本体２１と、接続口２２と、吸水孔２３と、異物除去部材２４と、弁体２５とにより基本的に構成される。
【００２３】
そして、前記した本体２１は、内部を空洞状に、いわゆる、後記する接続口２２から本体２１の下端部までの間において一連の空洞状に形成して、この空洞部に通水路２６を有するもので、縦長の筒状に形成してあって、この本体２１の全体あるいは略全体は排水箇所における地面ｃより下方に、すなわち、地中に埋入される。なお、この本体２１は、製作上、必要に応じて分割した多部材によりねじ結合などによる構成を行うこともできる。
【００２４】
前記した接続口２２は、本体２１の一側部（本実施例にあっては上部側）に設けて吸水駆動手段７と取付管８を介して接続させてあるもので、この接続口２２において取付管８とねじ結合されている。
なお、この取付管８の下端部に対しては、前記した第一実施例の排水装置Ａを選択的に交換着脱することができる。また、吸水駆動手段７は第一実施例に示す排水装置Ａに用いたものと同様の手段が利用できる。
【００２５】
前記した吸水孔２３は、本体２１の他側部において該本体２１の外周部に間隔的に多数個を散在させて、外部（水中や地中など）と通水路２６とが相通するように構成される。
【００２６】
前記した異物除去部材２４は、本体２１の軸方向の長さに見合う筒状で、本体２１において吸水孔２３の外側部を覆うように設けてあって、すなわち、通水は可能であるが、砂や砂利などの異物の通過は阻止するように構成されているものであり、これにより、吸水孔２３内へ砂や砂利などの異物が入らないもので、比較的目の細かい網目状に形成してある。
この異物除去部材２４は、目詰まりや損傷等を生じた際に、本体２１から外して洗浄や交換などができるように設けられているもので、該異物除去部材２４の固着に際しては、ねじ操作等による連結部材２７，２８により行われるもので、この異物除去部材２４の両端部は連結部材２８内に納まることで、離脱が防止される。
なお、この異物除去部材２４は、本体２１の外周面とに一定の隙間を形成させて取り付けられているもので、図５および図７等に示すように、棒状の離隔部材４０を本体２１の円周方向に対して間隔的に多数個設けてある。
これにより、異物除去部材２４を経て吸水孔２３内へ流入する水の流動が円滑に行える。
【００２７】
前記した弁体２５は、本体２１の他側端部（本実施例においては下側部）に設けて、本体２１内の通水路２６の下端部を開閉させるもので、この本体２１内の通水路２６の下端部に形成した弁座２９と、この弁座２９へ接離自在に当接する球状の弁部材３０と、この弁部材３０を外部へ飛び出させないように本体２１に保持させる保持体３１とからなる。
【００２８】
このうち、前記した弁部材３０は、比較的軽量な素材により形成してあって、本体２１が地中に埋入する水中などにあっては、該弁部材３０の浮力により弁座２９側へ移動し得ることが好ましい。
【００２９】
また、保持体３１は、本体１の下端部において弁座２９の周部を覆う円筒状で内部に空間部３２を有する覆い筒３３と、この覆い筒３３の内部に弁部材３０の通過（外部への飛び出し）を妨げるが、この内部の水の流通は円滑に行える隙間を形成する止め部材３４を固着してある。
なお、この覆い筒３３は、図７に示すように、出口を絞ることで水の噴射圧を上昇させることができる。
【００３０】
したがって、前記したように本発明に係る第二の実施例の排水装置Ａおよび排水方法は、以下に述べる作用を奏する。
まず、工事現場において湧水等により工事に使用を来すときは、取付管８の下部に、排水装置Ａにおける本体２１の接続口２２を取り付ける。また、取付管８の上部には吸水駆動手段７に接続した配管９へ連結して、該吸水駆動手段７の吸引力がこれら配管９，取付管８を介して本体２１の接続口２２に掛かるようにする。
【００３１】
そして、この排水装置Ａを、弁体２５を下方へ向けた状態において、吸水駆動手段７から配管９，取付管８を介して本体２１内の通水路２６内へ圧力水を注入すると、この圧力水は、吸水孔２３より噴出されると共に、本体２１の最下端部の開口部２１ａにおいて弁体２５における弁部材３０を下方の止め部材３４側に押し付けて、前記開口部２１ａを開放するので、この圧力水は、覆い筒３３の下部から勢いよく噴射され、地中をこの水圧で押し分けるため、本体２１の地中への挿入が容易に行われる。
【００３２】
こうして、地面ｃの所定深さまで本体２１が挿入されて、排水装置Ａおよび取付管８等が、図３に示すように、転倒することなく安定的にその姿勢を保持されるもので、この状態で、吸水駆動手段７を作動させると、該吸水駆動手段７の吸引力は配管９，取付管８を介して本体２１の接続口２２に掛かり、更に、本体２１内の通水路２６にこの吸引力が掛かる。
このとき、本体２１の下部の弁体２５における弁部材３０は、その浮力により弁座２９側へ移動すると共に、吸水駆動手段７の吸引力がこの弁部材３０に作用してこの弁座２９に当接し、本体２１の最下端部の開口部２１ａを閉塞する。
また、この弁部材３０の弁座２９（開口部２１ａ）の閉塞により、該開口部２１ａからの水はもちろんのこと土砂の流入は阻止され、もっぱら、吸引孔２３へのみ吸引力が働く。
【００３３】
そのため、本体２１の吸水孔２３において地中に対して掛かる吸引力が排水力となり、この吸引孔２３近傍の水を本体２１内の通水路２６へ吸い込む。
これにより、地中の水は次から次へと吸水駆動手段７側へ排出され、地面ｃ上の水たまりも次第に干されて、該地面ｃが露出した状態となる。そのため、土木工事等の現場にあっては、予定した土木作業を湧水によって邪魔されることなく円滑に行うことができる。
また、地中の湧水も地上へ湧き出る前に吸水されて、土木作業の支承とならない。
【００３４】
更に、本体２１の吸水孔２３の外側部には、異物除去部材２４が設けられているため、例え、砂地の地盤であっても、吸引された水と一緒にこの砂などが吸水孔２３内へ入り込もうとしても、該異物除去部材２４によってその侵入が妨げられ、この工事地盤や近傍の地盤を崩壊させたり、異物除去部材２４から放出された排出物に砂などが混在して、側溝や河川などに砂の堆積などによる悪影響を与えない。
【００３５】
特に、地中や水中に埋没している部材は、排水装置Ａあるいは取付管８の一部であって、排水のための駆動部は全く存在してないので、水の干渉があっても、感電等の問題の発生がなく安全で安心して使用することができる。
【００３６】
【発明の効果】
前述のように構成される本発明は、本体を湧水地面より下へ埋め込んでこの地中において排水を行うことができるため、前記地面に湧水が起きない。また、本体の吸水孔の周囲に設けた異物除去部材により、砂等の固形異物物を除去して水のみを吸い上げるため、作業現場の崩落等を生じさせない。
砂質土における排水作業にあっては、この砂中へ本体を埋入させるため、この砂が濾過材となって、異物除去部材更には吸水孔が浮遊物などによる目詰まりを生じさせない。
排水箇所には、電源等の駆動部が存在しないので、漏電や感電等の危険性が排除される。
【図面の簡単な説明】
【図１】本発明に関する排水装置の第一実施例を概略的に示す要部の縦断正面図である。
【図２】図１における排水装置の吸水孔において横断して示す平面図である。
【図３】図１における排水装置の使用状態を示す説明図である。
【図４】図１における排水装置の他の使用状態を示す説明図である。
【図５】本発明に関する排水装置の第二実施例を概略的に示す要部の縦断正面図である。
【図６】図５における排水装置の吸水孔において横断して示す平面図である。
【図７】図５における排水装置を示す底面図である。
【図８】図５における排水装置の使用状態を示す説明図である。
【図９】図５における排水装置の異物除去部材の一部を破断して示す正面図である。
【符号の説明】
Ａ  …排水装置．ｃ…地面．１，２１…本体．２，２２…接続口．３，２３…吸水孔．４，２４…異物除去部材．５…支持体．７…吸水駆動手段．８…取付管．２５…弁体．
【図１】
2004162453.tif 000003
【図２】
2004162453.tif 000004
【図３】
2004162453.tif 000005
【図４】
2004162453.tif 000006
【図５】
2004162453.tif 000007
【図６】
2004162453.tif 000008
【図７】
2004162453.tif 000009
【図８】
2004162453.tif 000010
【図９】
2004162453.tif 000011